(57)【要約】【課題】本発明は、財布、化粧用具等の収容物を収容できるバッグとして使用することができるだけでなく、傘やステッキ等の長尺物等も収容できるマルチバッグを提供する。【解決手段】マルチバッグ１０の袋状本体部１２は第１シート１４と第２シート１６を重ね合わせて袋状に形成されている。袋状本体部１２の基端部１２Ｃには開口部２０を開閉する開口部開閉手段２２が形成されている。袋状本体部１２の一側縁１２Ｄには一側縁係止手段３０が設けられ、他側縁１２Ｅには他側縁係止手段４０が設けられている。袋状本体部１２の第１シート１４には第１面テープ５４が取り付けられ、第２シート１６には第２面テープ５６が取り付けられている。袋状本体部１２の基端部側には長さ調節可能ベルト６０が配設されている。【選択図】図１
2010263945.tif 000002
【特許請求の範囲】
【請求項１】
内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、を有してなることを特徴とするマルチバッグ。
【請求項２】
内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状本体部の基端部に設けられたベルトと、を有してなることを特徴とするマルチバッグ。
【請求項３】
内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状収容部の先端部と基端部にそれぞれ設けられた袋状本体部折重用係止体と、前記袋状本体部の基端部に設けられたベルトと、を有してなることを特徴とするマルチバッグ。
【請求項４】
内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状収容部の先端部と基端部にそれぞれ設けられた袋状本体部折重用係止体と、前記袋状本体部に設けられたポケットと、前記袋状本体部の基端部に設けられたベルトと、を有してなることを特徴とするマルチバッグ。
【請求項５】
第１シートと第２シートを重ね合わせて袋状に形成された袋状本体部と、この袋状本体部の第１シートと第２シートの間に形成された収容部と、前記袋状本体部の基端部に形成された開口部と、前記第１シートの基端縁に形成された第１紐通部と、前記第２シートの基端縁に形成された第２紐通部と、これら第１紐通部及び第２紐通部に挿通された開口部開閉紐と、前記袋状本体部の一側縁に設けられた一側縁係止手段と、前記袋状本体部の他側縁に設けられた他側縁係止手段と、前記第１シートの中間部に設けられたポケットと、前記第１シートの先端部と前記第２シートの基端部にそれぞれ設けられた袋状本体部折重用係止体と、前記袋状本体部の基端部に設けられたベルトと、を有してなることを特徴とするマルチバッグ。
【発明の詳細な説明】
【技術分野】
【０００１】
本発明は、財布、化粧用具、携帯電話、手帳、ペットボトル等の収容物を収容するバッグとしてだけでなく、傘やステッキ等の長尺物を収容できるケースとしても使用することができるマルチバッグに関する。
【背景技術】
【０００２】
従来より財布、化粧用具、携帯電話、手帳等の収容物を収容して携帯できる携帯用バッグが広く知られている（特許文献１）。
しかし、従来の携帯用バッグはその構造から財布、化粧用具、携帯電話、手帳、ペットボトル等の比較的小さい収容物を収容できる機能しか有していない。
また、傘等の長尺物を収容して携帯できる長尺物収容ケースも従来より広く知られている（特許文献２）。
しかし、従来の長尺物収容ケースはその構造から傘やステッキ等の長尺物を収容できる機能しか有していない。
このため、財布、化粧用具、携帯電話、手帳、ペットボトル等や傘、ステッキ等の長尺物を収容する場合はバッグと長尺物収容ケースを別途に購入してそれぞれ用意しなければならないという不具合がある。
【先行技術文献】
【特許文献】
【０００３】
【特許文献１】特開２００６−２４７０７１
【特許文献２】登録実用新案第３００４５８７号
【発明の概要】
【発明が解決しようとする課題】
【０００４】
本発明は、上記事実に鑑みなされたものであり、財布、化粧用具、携帯電話、手帳、ペットボトル等の収容物を収容できるバッグとして使用することができることは勿論、傘やステッキ等の長尺物等も収容することができるマルチバッグを提供するものである。
【課題を解決するための手段】
【０００５】
請求項１の発明は、内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、を有してなることを特徴としている。
請求項２の発明は、内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状本体部の基端部に設けられたベルトと、を有してなることを特徴としている。
請求項３の発明は、内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状収容部の先端部と基端部にそれぞれ設けられた袋状本体部折重用係止体と、前記袋状本体部の基端部に設けられたベルトと、を有してなることを特徴としている。
請求項４の発明は、内部に収容部が設けられた折り畳み可能な袋状本体部と、この袋状本体部の基端部に形成された開口部と、前記袋状本体部の基端部に設けられて前記開口部を開閉できる開口部開閉手段と、前記袋状本体部の一側縁に設けられて袋状本体部を中間部で折り曲げた場合に袋状本体部を折り曲げた状態に維持できる一側縁係止手段と、前記袋状本体部の他側縁に設けられて袋状本体部を中間部で折り曲げた場合に袋状本体部を折り曲げた状態に維持できる他側縁係止手段と、前記袋状収容部の先端部と基端部にそれぞれ設けられた袋状本体部折重用係止体と、前記袋状本体部に設けられたポケットと、前記袋状本体部の基端部に設けられたベルトと、を有してなることを特徴としている。
請求項５の発明は、第１シートと第２シートを重ね合わせて袋状に形成された袋状本体部と、この袋状本体部の第１シートと第２シートの間に形成された収容部と、前記袋状本体部の基端部に形成された開口部と、前記第１シートの基端縁に形成された第１紐通部と、前記第２シートの基端縁に形成された第２紐通部と、これら第１紐通部及び第２紐通部に挿通された開口部開閉紐と、前記袋状本体部の一側縁に設けられた一側縁係止手段と、前記袋状本体部の他側縁に設けられた他側縁係止手段と、前記第１シートの中間部に設けられたポケットと、前記第１シートの先端部と前記第２シートの基端部にそれぞれ設けられた袋状本体部折重用係止体と、前記袋状本体部の基端部に設けられたベルトと、を有してなることを特徴としている。
【発明の効果】
【０００６】
本発明のマルチバッグは、財布、化粧用具、携帯電話、手帳、ペットボトル等の収容物を収容するバッグとして使用できるだけでなく、傘やステッキ等の長尺物を収容する長尺物収容ケースとしても使用することができるという優れた効果を有する。
また、本発明のマルチバッグは、財布、化粧用具、携帯電話、手帳、ペットボトル等の収容物を収容するバッグとして使用できるだけでなく、傘やステッキ等の長尺物を収容する長尺物収容ケースとしても使用することができるので、マルチバッグを一つ用意すれば両方の収容物を収容する場合に使用できるため経済的であるという優れた効果を有する。
【図面の簡単な説明】
【０００７】
【図１】実施例のマルチバッグの全体斜視図である。
【図２】実施例のマルチバッグを展開した状態の正面図である。
【図３】実施例のマルチバッグを展開した状態の背面図である。
【図４】実施例のマルチバッグを傘等の長尺物収容ケースとして使用する場合の使用説明図である。
【図５】実施例のマルチバッグを肩に掛けた状態の全体斜視図である。
【図６】実施例のマルチバッグを肩に掛けた状態の全体斜視図である。
【図７】実施例のマルチバッグを展開した状態から折り畳む概略説明図である。
【図８】実施例のマルチバッグを展開した状態から折り畳む概略説明図である。
【図９】実施例のマルチバッグを展開した状態から折り畳む概略説明図である。
【発明を実施するための形態】
【０００８】
発明を実施するために最良の形態の例として以下のような実施例を示す。
【実施例１】
【０００９】
図１〜図９には本発明に係るマルチバッグの一実施例が示されている。
図１には実施例のマルチバッグ１０を財布、化粧用具、携帯電話、手帳、ペットボトル等の収容物（図示せず）を収容するバッグとして使用する場合の斜視図が示されており、図４には実施例のマルチバッグ１０を傘１等の長尺物を収容する長尺物収容ケースとして使用する場合の使用状態図が示されている。
図２には前記マルチバッグ１０を展開した状態図の正面図が示され、図３には前記マルチバッグ１０を展開した状態の背面図が示されている。
図２及び図３に示されるように、マルチバッグ１０の袋状本体部１２は適宜素材で薄いシート状に形成されたシート体を矩形状にカットした第１シート１４と第２シート１６を重ね合わせて形成されている。
この第１シート１４の一側縁１４Ａと第２シート１６の一側縁１６Ａ，第１シート１４の他側縁１４Ｂと第２シート１６の他側縁１６Ｂ，第１シート１４の先端縁１４Ｃと第２シート１６の先端縁１６Ｃ，は互いに縫着されている。これにより、前記袋状本体部１２は上下方向に長い袋状に形成され、第１シート１４と第２シート１６の間に収容物を収容できる収容部１８が形成されている。
なお、第１シート１４の基端縁１４Ｄと第２シート１６の基端縁１６Ｄは逢着されず、前記収容部１８に収容物を出し入れできる開口部２０が形成されている。
また、前記袋状本体部１２は薄い第１シート１４と第２シート１６を重ね合わせて形成されているので容易に小さく折り畳むことができるようになっている。なお、この実施例の袋状本体部１２は第１折曲線部２１Ａ（図２、図３に想像線で示す）と第２折曲線部２１Ｂ（図２、図３に想像線で示す）の二箇所で折り曲げるタイプであり、第１折曲線部２１Ａと第２折曲線部２１Ｂで折り曲げると袋状本体部１２は先端部１２Ａ、中間部１２Ｂ、基端部１２Ｃに区画できるようになっている。
前記袋状本体部１２の基端部１２Ｃには前記開口部２０を開閉する開口部開閉手段２２が形成されている。
この実施例では開口部開閉手段２２は前記第１シート１４の基端縁１４Ｄに筒状に形成された第１紐通部２４と、前記第２シート１６の基端縁１６Ｄに筒状に形成された第２紐通部２６と、これら第１紐通部２４、第２紐通部２６に挿通される開口部開閉紐２８と、から構成されている。従って、この開口部開閉紐２８を緩めたり締めたりすることによって前記開口部２０を開閉することができるようになっている。
前記袋状本体部１２の一側縁１２Ｄには一側縁係止手段３０が設けられている。この実施例では一側縁係止手段３０は袋状本体部１２の一側縁１２Ｄに上下方向に並んで設けられた一側縁第１スライドファスナー３２と一側縁第２スライドファスナー３４とから構成されている。また、一側縁第１スライドファスナー３２と一側縁第２スライドファスナー３４はスライダー３６で開閉されるようになっている。
前記袋状本体部１２の他側縁１２Ｅには他側縁係止手段４０が設けられている。この実施例では他側縁係止手段４０は袋状本体部１２の他側縁１２Ｅに上下方向に並んで設けられた他側縁第１スライドファスナー４２と他側縁第２スライドファスナー４４とから構成されている。また、他側縁第１スライドファスナー４２と他側縁第２スライドファスナー４４はスライダー４６で開閉されるようになっている。
図２に示されるように、前記第１シート１４にはポケット５０が設けられている。このポケット５０の開口部５２は第１シート１４の基端縁１４Ｄ側向かって形成されている。
前記袋状本体部１２の先端部１２Ａに対応する第１シート１４には袋状本体部折重用係止体としての第１面テープ５４が取り付けられている。
また、図３に示されるように、前記袋状本体部１２の基端部１２Ｃに対応する第２シート１６には第１面テープ５４と係止する袋状本体部折重用係止体としての第２面テープ５６が取り付けられている。この実施例では前記第１面テープ５４と第２面テープ５６はマジックテープ（登録商標）で形成されている。
図２及び図３に示されるように前記袋状本体部１２の先端部１２Ａの内側には防水補強シート５８が内張りされている。これにより、図４に示されるように袋状本体部１２の収容部１８に濡れた傘１を収容しても傘１の石突き１Ａによって袋状本体部１２が破れたり濡れたりするのを可及的に防止できるようになっている。
図２及び図３に示されるように、前記袋状本体部１２の基端部１２Ｃにはベルトとしての長さ調節可能ベルト６０が配設されている。この長さ調節可能ベルト６０の一端部６０Ａは前記袋状本体部１２の一側縁１２Ｄに取り付けられ、他端部６０Ｂは袋状本体部１２の他側縁１２Ｅに取り付けられている。なお、前記長さ調節可能ベルト６０は図示しない公知の長さ調節手段によりベルト長さを長くしたり短くしたりすることができるようになっている。
従って、長さ調節可能ベルト６０のベルト長さを長くして肩に掛けることにより図５、図６に示されるようにマルチバッグ１０をショルダーバッグとして使用することができるようになっている。
【００１０】
次に、実施例のマルチバッグ１０の作用について説明する。
マルチバッグ１０を傘１等の長尺物を収容する長尺物収容ケースとして使用する場合は図２、図３に示すようにマルチバッグ１０の袋状本体部１２を展開状態にする。
このため、袋状本体部１２の収容部１８を上下方向に長いままの状態で収容部として使用することができるので、傘１を開口部２０から収容部１８に収容することにより図４に示されるように傘１のような長尺物でも収容部１８に容易に収容することができる。
また、前記袋状本体部１２の収容部１８の先端部には防水補強シート５８が内張りされているので濡れた傘１を収容しても傘１の石突き１Ａによって袋状本体部１２が破れたり、石突き１Ａを伝わってきた雨水によって袋状本体部１２が濡れたりするのを可及的に防止できる。
なお、前記マルチバッグ１０の長さ調節可能ベルト６０を車のヘッドレスト等に常時掛けておくことによりマルチバッグ１０を車内に常時置いておく長尺物収容ケースとして使用することができる。
前記マルチバッグ１０を財布、化粧用具、携帯電話、手帳、ペットボトル等の比較的小さい収容物を収容するバッグとして使用する場合は図２、図３に示す展開状態のマルチバッグ１０の袋状本体部１２を折り畳んで使用する。
まず、図３に示す袋状本体部１２を図７（ａ）に示すように第１折曲線部２１Ａで折り曲げて袋状本体部１２の先端部１２Ａを中間部１２Ｂに重ねる。次に図７（ｂ）に示されるように袋状本体部１２を第２折曲線部２１Ｂで折り曲げて袋状本体部１２の先端部１２Ａ、中間部１２Ｂを基端部１２Ｃに重ねる。そして、第１面テープ５４と第２面テープ５６を係止することにより、袋状本体部１２は折り重ねられた状態を維持する。また、前記袋状本体部１２を第１折曲線部２１Ａ，第２折曲線部２１Ｂで折り曲げることにより収容部１８は袋状収容部１２の基端部１２Ｃに対応する部分となり、収容部１８の深さが浅くなる。
次に図７（ｃ）に示されるように、袋状本体部１２を正面側に向けて一側縁第１スライドファスナー３２と一側縁第２スライドファスナー３４をスライダー３６で閉じる。同様に他側縁第１スライドファスナー４２と他側縁第２スライドファスナー４４をスライダー４６で閉じる。これにより、マルチバッグ１０は図８（ｄ）に示す形状になる。
従って、マルチバッグ１０の開口部２０を介して前記収容部１８に財布、化粧用具、携帯電話、手帳、ペットボトル等の収容物を収容することができる。なお、収容部１８に収容した収容物が落下するおそれがある場合は図１に示すように開口部開閉紐２８を締め付けて開口部２０を閉じればよい。
また、前記マルチバッグ１０の外側にはポケット５０が形成されるのでポケット５０にハンカチ２（図５、図６参照）等を入れることができる。
なお、図５、図６に示されるように長さ調節可能ベルト６０を肩に掛けることによりショルダーバッグとして使用することができる。
また、前記袋状本体部１２の基端部１２Ｃの一部を内側に折り曲げることにより開口部２０、開口部開閉紐２８が露出しなくなり、図６に示されるように開口部２０、開口部開閉紐２８が外部から見えなくなるので防犯面の効果を期待できる。
なお、マルチバッグ１０を図１に示す形状で使用するために袋状本体部１２を第１折曲線部２１Ａ，第２折曲線部２１Ｂで折り曲げるとマルチバッグ１０には前記収容部１８と別途に先端部１２Ａ，中間部１２Ｂと基端部１２Ｃの間を利用したサブ収容部６２（図７（ｂ）参照）が形成される。
従って、前記第１面テープ５４と第２面テープ５６を開けることによってサブ収容部６２に適宜の収容物を収容することができる。
このサブ収容部６２はマルチバッグ１０の背面側（図１裏側）に形成されるので、マルチバッグ１０を図５、図６に示す状態で使用した場合にはマルチバッグ使用者によって隠れてサブ収容部６２の存在が外部から見えなくなるので防犯上の面からも有効である。
また、マルチバッグ１０を使用しない場合等は図８（ｄ）に示す状態のマルチバッグ１０を図８（ｅ）に示すように袋状本体部１２の一側縁１２Ｄと他側縁１２Ｅをそれぞれ折り曲げて、次に図８（ｆ）のように袋状本体部１２を巻くように小さく畳んで図９（ｇ）のような状態にして長さ調節可能ベルト６０をまとめると共に袋状収容部１２の開口部２０を大きく開けて袋状本体部１２の基端縁を折り返して小さく折り畳んだ袋状本体部１２と長さ調節可能ベルト６０を包み込んで図９（ｈ）に示す状態にする。そして、開口部開閉紐２８を締めることにより前記マルチバッグ１０を図９（ｉ）に示すように小さな巾着のような形状にすることができる。
従って、前記マルチバッグ１０を和装の袋物の形状にすることができ、マルチバッグ１０を携帯する場合にお洒落な感じとなると共に和服を着た場合にも全く違和感なくマルチバッグ１０を携帯できる。
さらに、マルチバッグ１０は薄い第１シート１４と第２シート１６からなる袋状本体部１２と長さ調節可能ベルト６０から構成されているので、軽量で小さく畳むことができるため旅行等にも容易に持参でき便利である。
なお、マルチバック１０の折り畳み手順は図７〜図９に示した手順に限定されるものでなく他の手順で折り畳んでもよいことは勿論である。
【００１１】
なお、実施例では第１シート１４と第２シート１６で袋状本体部１２を形成したが、袋状本体部１２は適宜素材から形成されたシート体を袋状に一体形成してもよいことは勿論である。
また、実施例では開口部開閉手段２２を第１紐通部２４、第２紐通部２６、開口部開閉紐２８で形成したが、開口部開閉手段２２の構成はこれに限定されるものでなく開口部２０を開閉できるものであればボタン、マジックテープ（登録商標）、フック等他の構成でもよいことは勿論である。
なお、実施例では一側縁係止手段３０を一側縁第１スライドファスナー３２と一側縁第２スライドファスナー３４で形成し、他側縁係止手段４０を他側縁第１スライドファスナー４２と他側縁第２スライドファスナー４４で形成したが、一側縁係止手段３０と他側縁係止手段４０の構成はこれに限定されるものでなく、例えばボタンやマジックテープ（登録商標）、フック等の係止手段でもよいことは勿論である。
また、実施例では袋状本体部折重用係止体としての第１面テープ５４と第２面テープ５６をマジックテープ（登録商標）で形成したが、袋状本体部折重用係止体は面テープに限定されるものでなく、例えばボタンやフック等で形成してもよいことは勿論である。
なお、前記マルチバッグ１０に収容する物は実施例に記載した品物以外でもよいことは勿論である。
【産業上の利用可能性】
【００１２】
本発明のマルチバッグは、収容物を収容する袋物として色々な分野に適用することができる。
【符号の説明】
【００１３】
１０    マルチバッグ
１２    袋状本体部
１４    第１シート
１６    第２シート
１８    収容部
２０    開口部
２２    開口部開閉手段
２４    第１紐通部
２６    第２紐通部
２８    開口部開閉紐
３０    一側縁係止手段
３２    一側縁第１スライドファスナー
３４    一側縁第２スライドファスナー
４０    他側縁係止手段
４２    他側縁第１スライドファスナー
４４    他側縁第２スライドファスナー
５０    ポケット
５４    第１面テープ
５６    第２面テープ
６０    長さ調節可能ベルト
【図１】
2010263945.tif 000003
【図２】
2010263945.tif 000004
【図３】
2010263945.tif 000005
【図４】
2010263945.tif 000006
【図５】
2010263945.tif 000007
【図６】
2010263945.tif 000008
【図７】
2010263945.tif 000009
【図８】
2010263945.tif 000010
【図９】
2010263945.tif 000011